(57)【要約】【課題】外断熱外壁パネルの建方の施工が容易で、しかも、火災時に背後の柱の鉛直荷重支持性能が低下してしまうのを効果的に防ぐことができるパネル式外断熱耐火外壁構造を提供する。【解決手段】外断熱用の断熱材５，５を有する左右の外断熱外壁パネル２，２間の背後に構造用の柱１が備えられ、左右の外断熱外壁パネル２，２の外断熱材５，５がそれらの側面部を目地幅よりも小さい隙間１０をおいて対向させるように備えられている。そして、柱１と左右の外断熱外壁パネル２，２の外断熱材５，５との間に熱膨張性耐火材３が介設されている。【選択図】      図１
2007297875.tif 000002
【特許請求の範囲】
【請求項１】
外断熱用の断熱材を有する左右の外断熱外壁パネル間の背後に構造用の柱が備えられ、左右の外断熱外壁パネルの外断熱材がそれらの側面部を目地幅よりも小さい隙間をおいて対向させるように備えられたパネル式外断熱耐火外壁構造であって、
前記柱と左右の外断熱外壁パネルの外断熱材との間に熱膨張性耐火材が介設されていることを特徴とするパネル式外断熱耐火外壁構造。
【請求項２】
前記外断熱材が無機繊維系断熱ボード又は発泡樹脂からなっている請求項１に記載のパネル式外断熱耐火外壁構造。
【発明の詳細な説明】
【技術分野】
【０００１】
本発明は、パネル式外断熱耐火外壁構造に関する。
【背景技術】
【０００２】
外断熱外壁構造として、外断熱用断熱材を有する左右の外断熱外壁パネル間の背後に構造用の柱が備えられたものでは、パネルに備えられた外断熱材同士を突き合わせ状態やあいじゃくり状態にして連続させることにより、火災時に背後の柱の鉛直荷重支持性能が低下してしまうのを防ぐことができるが、外断熱材を突き合わせ状態にしたり、あいじゃくり状態にすることは、外断熱外壁パネルの建方の施工を非常に厄介なものにしてしまう。
【特許文献１】特開平１１−２２０５８号公報
【発明の開示】
【発明が解決しようとする課題】
【０００３】
本発明は、上記のような問題点に鑑み、外断熱外壁パネルの建方の施工が容易で、しかも、火災時に背後の柱の鉛直荷重支持性能が低下してしまうのを効果的に防ぐことができるパネル式外断熱耐火外壁構造を提供することを課題とする。
【課題を解決するための手段】
【０００４】
上記の課題は、外断熱用の断熱材を有する左右の外断熱外壁パネル間の背後に構造用の柱が備えられ、左右の外断熱外壁パネルの外断熱材がそれらの側面部を目地幅よりも小さい隙間をおいて対向させるように備えられたパネル式外断熱耐火外壁構造であって、
前記柱と左右の外断熱外壁パネルの外断熱材との間に熱膨張性耐火材が介設されていることを特徴とするパネル式外断熱耐火外壁構造によって解決される。
【０００５】
この構造では、左右の外断熱外壁パネルの外断熱材がそれらの側面部を目地幅よりも小さい隙間をおいて対向させるように備えられているので、その隙間によって外断熱外壁パネルの建方の施工を容易にすることができる。
【０００６】
しかも、その隙間は目地幅よりも小さい隙間であるので、外断熱材に火災時の柱の鉛直荷重支持性能低下抑制作用を行わせることができる。
【０００７】
そして、柱と左右の外断熱外壁パネルの外断熱材との間に熱膨張性耐火材が介設されているので、外断熱材だけでは不足の火災時の柱の鉛直荷重支持性能低下抑制作用を熱膨張性耐火材に補わせることができて、火災時に背後の柱の鉛直荷重支持性能が低下してしまうのを効果的に防ぐことができる。
【０００８】
特に、耐火材は熱膨張性のものであるから、火災で外断熱材に断面欠損を生じても、耐火材が熱膨張をすることで、該耐火材が外断熱材の断面欠損部分に充填され、柱の鉛直荷重支持性能低下を効果的に防ぐことができる。外断熱材が無機繊維系断熱ボード又は発泡樹脂からなっている場合は、特に有効的に働く。
【発明の効果】
【０００９】
本発明は、以上のとおりのものであるから、外断熱外壁パネルの建方の施工が容易で、しかも、火災時に背後の柱の鉛直荷重支持性能が低下してしまうのを効果的に防ぐことができる。
【発明を実施するための最良の形態】
【００１０】
次に、本発明の実施最良形態を図面に基づいて説明する。
【００１１】
図１及び図２に示す実施形態のパネル式外断熱耐火外壁構造において、１は柱、２，２は左右の外断熱外壁パネル、３は熱膨張性耐火材であり、柱１は、鋼柱などの温度上昇によって鉛直荷重支持能力が低下する金属柱からなっている。
【００１２】
各外断熱外壁パネル２は、図２に示すように、パネルフレーム４の屋外側に、グラスウールボード等の無機繊維系断熱ボード、又は、発泡樹脂などからなる外断熱材５が備えられ、その外側に下地材６を介して窯業系などの外壁面材７が備えられたもので、下地材６は外壁面材７の側面部と一致して備えられているが、外断熱材５は外壁面材７の側面部よりも外方に突出して備えられている。８は透湿防水シート、９は、パネルフレーム４内に装填された繊維系断熱材である。
【００１３】
これら左右の外断熱外壁パネル２，２は、建方において、図１に示すように、パネルフレーム４，４で柱１を両側から挟むように設置され、パネルフレーム４，４と柱とがボルト等で緊結一体化されることにより、外断熱外壁構造の基本部分を構成し、この設置状態において、左右の外断熱外壁パネル２，２の外断熱材５，５の側面部は目地幅よりも小さい隙間１０をおいて対向しており、柱１と、左右の外断熱外壁パネル２，２の外断熱材５，５との間に熱膨張性耐火材３が介設されて外断熱耐火外壁構造を構成している。
【００１４】
なお、熱膨張性耐火材３は、例えば、耐火性ブチルゴムや、耐火性のシリコンスポンジ、耐火性のクロロプレンゴムなどからなっていて、柱１の屋外側の面部に取り付けたり、あるいは、塗布することによって、柱１に予め備えさせておけばよい。
【００１５】
また、本実施形態では、柱１の屋内側の面部にも熱膨張性耐火材１１が設けられている。１２は石膏ボード等の内装材で、柱１と内装材１２との間には発泡樹脂断熱材１３が介設されている。１４は防湿シート、１５は目地材である。
【００１６】
上記のパネル式外断熱耐火外壁構造では、左右の外断熱外壁パネル２，２の外断熱材５，５がそれらの側面部を目地幅よりも小さい隙間１０をおいて対向させるように備えられているので、その隙間１０によって外断熱外壁パネル２，２の建方の施工を容易に行っていくことができる。
【００１７】
しかも、その隙間１０は目地幅よりも小さい隙間であるので、外断熱材５，５によって、屋外からの火炎による柱１の温度上昇による鉛直荷重支持性能低下抑制作用が奏される。
【００１８】
そして、柱１と左右の外断熱外壁パネル２，２の外断熱材５，５との間に熱膨張性耐火材３が介設されているので、外断熱材５，５の突出だけでは不足の火災時の柱１の鉛直荷重支持性能低下抑制作用が熱膨張性耐火材３によって補われ、火災時に背後の柱１が温度上昇をして鉛直荷重支持性能が低下してしまうのを効果的に防ぐことができる。
【００１９】
特に、耐火材３は熱膨張性のものであり、外断熱材５，５がグラスウールボード等の無機繊維系断熱ボード、又は、発泡樹脂などからなっている場合は、火災で外断熱材５，５に断面欠損を生じても、耐火材３が熱膨張することで、該耐火材３が外断熱材５，５の断面欠損部分に充填され、柱１の鉛直荷重支持性能低下を効果的に防ぐことができる。
【００２０】
以上に、本発明の実施形態を示したが、本発明はこれに限られるものではなく、発明思想を逸脱しない範囲で各種の変更が可能である。例えば、上記の実施形態では、柱が鋼等の金属からなっている場合を示したが、木などであってもよい。また、上記の実施形態では、柱１がパネルフレーム４，４で両側から挟まれた構造をしているが、この柱を省略し、左右の外断熱外壁パネルに備えられるパネルフレームを対として組み合わせたものを背後の柱としたものであってもよい。
【図面の簡単な説明】
【００２１】
【図１】実施形態のパネル式外断熱耐火外壁構造を示すもので、図（イ）は断面平面図、図（ロ）は要部拡大図である。
【図２】同構造の分解断面平面図である。
【符号の説明】
【００２２】
１…柱
２…外断熱外壁パネル
３…熱膨張性耐火材
５…外断熱材
１０…隙間
【図１】
2007297875.tif 000003
【図２】
2007297875.tif 000004